(57)【要約】【目的】小さい作動力で操作杆を下降回動することで、空容器に大きい押圧力を加え、空容器を圧潰する空容器潰し機を提供する。【構成】据付けベース１の後辺から支柱２を立設し、該ベース１の上方に加圧ヘッド３を配設し、上記支柱２に該ベース１の上方において上下回動する揺動杆４の基端を枢支して該ベース１前方へ向け延設し、該揺動杆４と上記加圧ヘッド３間を第一リンク６・７にて枢結し、上記揺動杆４の上方に上下回動する操作杆１３の基端を上記支柱２の上端に枢支して該ベース１前方へ向け延設し、上記揺動杆４と該操作杆１３とを第二リンク１２を以って連結したトグル機構からなる空容器潰し機。【選択図】図１
2005007472.tif 000002
【特許請求の範囲】
【請求項１】
据付けベースの後辺から支柱を立設し、該ベースの上方に加圧ヘッドを配設し、上記支柱に該ベースの上方において上下回動する揺動杆の基端を枢支して該ベース前方へ向け延設し、該揺動杆と上記加圧ヘッド間を第一リンクにて枢結し、上記揺動杆の上方に上下回動する操作杆の基端を上記支柱の上端に枢支して該ベース前方へ向け延設し、上記揺動杆と該操作杆とを第二リンクを以って連結したトグル機構からなることを特徴とした空容器潰し機。
【発明の詳細な説明】
【０００１】
【発明の属する技術分野】本発明は、使用済みの１８リットル缶、ジュース缶、ペットボトル等を潰す空容器潰し機に関するものである。
【０００２】
【従来の技術】
【特許文献１】特開２００１−３２１９９４
【０００３】
特許文献１はベース上に加圧ヘッドを配すると共に、該加圧ヘッド上で片持支点を中心に回動する操作杆を設け、該操作杆の下降回動操作により、該加圧ヘッドとベース間で空容器を押し潰す機構を採っている。
【０００４】
【発明が解決しようとする課題】
而して、特許文献１の機構では圧潰時に抗力の大きい空容器を潰す時、操作杆に加える作動力に大きい力を要した。
【０００５】
【課題を解決するための手段】
本発明は、上記の問題点を解決する空容器潰し機を提供する。据付けベースの後辺から支柱を立設し、該ベースの上方に加圧ヘッドを配設し、上記支柱に該ベースの上方において上下回動する揺動杆の基端を枢支して該ベース前方へ向け延設し、該揺動杆と上記加圧ヘッド間を第一リンクにて枢結し、上記揺動杆の上方に上下回動する操作杆の基端を上記支柱の上端に枢支して該ベース前方へ向け延設し、上記揺動杆と該操作杆とを第二リンクを以って連結したトグル機構としたものである。
【０００６】
【発明の実施の形態】
以下本発明の空容器潰し機の実施の形態を説明する。図１に示すように、据付けベース１の後辺から支柱２を立設し、該ベース１の上方に加圧ヘッド３を配設しており、上記支柱２に該ベース１の上方において上下回動する揺動杆４の基端を支軸５を以って枢支してベース１前方へ向け延設し、該揺動杆４と該加圧ヘッド３間を第一リンク６・７にて枢結し、該揺動杆の上方に上下回動する操作杆１３の基端を上記支柱の上端に支軸１４を以って枢支して該ベース１前方へ向け延設し、上記揺動杆４と該操作杆１３とを第二リンク１２を以って連結する。
【０００７】
上記揺動杆４の回動運動を加圧ヘッド３に伝達する第一リンクは、前後に間隔を置いて並設した二本のリンク６・７で形成し、各第一リンク６・７の上端を揺動杆４の中間延在部の前後に間隔を置いて支軸８・９を以って各々枢結すると共に、各第一リンク６・７の下端を上記加圧ヘッド３の前後に間隔を置いて支軸１０・１１を以って各々に枢結する。
【０００８】
よって、揺動杆４と加圧ヘッド３間を二本の並行リンク６・７にて連結する。又、上記操作杆１３の回動運動を該揺動杆４に伝達する第二リンク１２は、該第二リンク１２の上端を操作杆１３の中間延在部に支軸１５を以って枢結すると共に、第二リンク１２の下端は、例えば、上記揺動杆４の支軸１４とは反対側の端部に支軸１６を持って枢結する。又、上記操作杆１３の支軸１４とは反対側の端部に手操用の把手１７を設ける。
【０００９】
又、図２に示すように、上記ベース１の前端の左右から、前方向に延びる安定アーム１９・２０を上記操作杆１３と平行に並設し、該安定アーム１９・２０の中間線上に上記操作杆１３が延び、同中間線上において上下回動するように構成する。
【００１０】
又、上記加圧ヘッド３の後辺に枠形のガイド１８を設け、該ガイド１８をベース１の後辺から立設した支柱２に外挿し、該加圧ヘッド３を該ガイド１８の案内下で該支柱２に沿って上下動せしめる。
【００１１】
上記ガイド１８は、支柱２に対し前後方向に一定の遊びを有し、この遊びにより加圧ヘッド３の前後の傾きを許容する。
【００１２】
図３に示すように、空容器２１をベース１上に載置して操作杆１３を下降回動し、よって加圧ヘッド３は第二リンク１２を介し、揺動杆４から第一リンク７・６を介して下降し、空容器２１を圧潰せしめる。
【発明の効果】
本発明の空容器潰し機によれば、ヘッドがトグル機構を以って下降することにより、空容器を圧潰する際、操作杆に加える作動力は小さい力でも、該加圧ヘッドが該空容器に加える押圧力は大きくなり、空容器を圧潰する作業を軽減する。
【図面の簡単な説明】
【図１】本発明の空容器潰し機の側面図である。
【図２】本発明の空容器潰し機の斜視図である。
【図３】ベース上に載置した空容器の上部を加圧ヘッドが当接した状態を表した空容器潰し機の側面図である。
【図４】空容器を圧潰した状態を表した空容器潰し機の側面図である。
【符号の説明】
１−ベース
２−支柱
３−ヘッド
４−揺動杆
５−揺動杆の支軸
６・７−第一リンク
８乃至１１−第一リンク支軸
１２−第二リンク
１３−操作杆
１４−操作杆の支軸
１５・１６−第二リンク支軸
１７−操作杆の把手
１８−ガイド
１９・２０−安定アーム
２１−空容器
【図１】
2005007472.tif 000003
【図２】
2005007472.tif 000004
【図３】
2005007472.tif 000005
【図４】
2005007472.tif 000006
【手続補正書】
【提出日】平成15年12月1日(2003.12.1)
【手続補正１】
【補正対象書類名】明細書
【補正対象項目名】請求項１
【補正方法】変更
【補正の内容】
【請求項１】
据付けベースの後辺から支柱を立設し、該ベースの上方に加圧ヘッドを配設し、上記支柱に該ベースの上方において上下回動する揺動杆の基端を枢支して該ベース前方へ向け延設し、該揺動杆と上記加圧ヘッド間を第一リンクにて枢結し、上記揺動杆の上方に上下回動する操作杆の基端を上記支柱の上端に枢支して該ベース前方へ向け延設し、上記揺動杆と該操作杆とを第二リンクを以って連結し、上記操作杆の下方回動を上記第二リンクを介して揺動杆に伝達し、該揺動杆の下方回動を上記第一リンクを介して加圧ヘッドに伝達する構成としたことを特徴とした空容器潰し機。
【手続補正２】
【補正対象書類名】明細書
【補正対象項目名】０００５
【補正方法】変更
【補正の内容】
【０００５】
本発明は、上記の問題点を解決する空容器潰し機を提供する。据付けベースの後辺から支柱を立設し、該ベースの上方に加圧ヘッドを配設し、上記支柱に該ベースの上方において上下回動する揺動杆の基端を枢支して該ベース前方へ向け延設し、該揺動杆と上記加圧ヘッド間を第一リンクにて枢結し、上記揺動杆の上方に上下回動する操作杆の基端を上記支柱の上端に枢支して該ベース前方へ向け延設し、上記揺動杆と該操作杆とを第二リンクを以って連結し、よって連続したトグル機構としたものである。


【手続補正３】
【補正対象書類名】明細書
【補正対象項目名】０００８
【補正方法】変更
【補正の内容】
【０００８】
よって、揺動杆４と加圧ヘッド３間を二本の並行リンク６・７にて連結する。
又、上記操作杆１３の回動運動を該揺動杆４に伝達する第二リンク１２は、該第二リンク１２の上端を操作杆１３の中間延在部に支軸１５を以って枢結すると共に、第二リンク１２の下端は、例えば、上記揺動杆４の支軸５とは反対側の端部に支軸１６を持って枢結する。又、上記操作杆１３の支軸１４とは反対側の端部に手操用の把手１７を設ける。